(57)【要約】  本開示の主題は、内部空間を一緒に画定する少なくとも１つの側壁および底壁、ならびに上面を有する開口を閉じるためのカバーを備える、品物を保管し移送させるための容器を備える容器アセンブリを対象とし、カバーは少なくとも第１の位置と第２の位置との間で可動の少なくとも１つのラッチ部材を備え、容器は少なくとも１つの側壁上に、ラッチ部材が容器を少なくとも１つの他の容器に連結させるために、別の容器の保持部材と係合するように構成されるように、ラッチ部材に平行に位置付けられた保持部材を備える。【選択図】図３
2018512345.tif 000002
【特許請求の範囲】
【請求項１】
内部空間を一緒に画定する少なくとも１つの側壁および底壁、ならびに上面を有する開口を閉じるためのカバーを備える、品物を保管し移送するための容器を備える容器アセンブリにおいて、前記カバーは、少なくとも第１の位置と第２の位置との間で可動の少なくとも１つのラッチ部材を備え、前記容器は、前記ラッチ部材が、前記容器を前記少なくとも１つの他の容器に連結させるために、別の容器の保持部材と係合するように構成されるように、前記少なくとも１つの側壁上に前記ラッチ部材に平行に位置付けられた保持部材を備えることを特徴とする、容器アセンブリ。
【請求項２】
係止機構により互いに取り外し可能に取り付け可能な、少なくとも１つの第１の容器および少なくとも１つの第２の容器を備える容器アセンブリシステムにおいて、前記係止機構は、前記少なくとも１つの第１の容器と前記少なくとも１つの第２の容器との間で相互作用し、前記少なくとも１つの第１の容器は、その上部に枢動可能なラッチ部材を備えて構成され、前記少なくとも１つの第２の容器は、その対応する底部に保持部を備えて構成され、前記ラッチ部材は、前記ラッチ部材が前記保持部を係合する係止位置と、前記ラッチ部材が前記保持部から係脱に枢動可能に移動される非係止位置との間で枢動可能であることを特徴とする、容器アセンブリシステム。
【請求項３】
請求項１または２に記載の容器アセンブリにおいて、前記少なくとも１つのラッチ部材は、前記容器アセンブリのためのハンドルを構成することができることを特徴とする容器アセンブリ。
【請求項４】
請求項１乃至３の何れか１項に記載の容器において、前記カバーは前記容器部の後側に枢動可能に連結されることを特徴とする容器。
【請求項５】
請求項１乃至４の何れか１項に記載の容器において、前記容器部または前記カバー部上に配置された運搬用ハンドルをさらに備えることを特徴とする容器。
【請求項６】
請求項１乃至５の何れか１項に記載の容器において、前記ラッチ部材は、少なくとも１つのヒンジを通して枢動可能に連結されることを特徴とする容器。
【請求項７】
請求項１乃至６の何れか１項に記載の容器において、前記容器の前記内部空間は複数の区画に分割されることを特徴とする容器。
【請求項８】
請求項１乃至７の何れか１項に記載の容器において、前記ラッチ部材および前記係合部材は、前記ラッチ部材および前記係合部材を互いに対して垂直に位置合わせするように位置付けられるように、離間されて構成され配置されることを特徴とする容器。
【請求項９】
請求項１乃至８の何れか１項に記載の容器において、前記保持部材は、その上に係止されたときに前記ラッチ部材を保持しかつ／または獲得し、前記ラッチ部材の移動を防ぐように構成され形状された、外方に突出するフック状の部材であることを特徴とする容器。
【請求項１０】
請求項１〜９の何れか１項に記載の容器において、前記ラッチ部材は、時計回りおよび反時計回りに枢動するように構成されることを特徴とする容器。
【請求項１１】
少なくとも第１の位置と第２の位置との間で可動な少なくとも１つのラッチ部材、および前記ラッチ部材に平行に位置付けられた保持部材をその上に備える、少なくとも１つの側壁を備える容器において、前記ラッチ部材は、前記容器を前記少なくとも１つの他の容器に連結させるために、静止位置と別の容器の保持部材と係合するための位置との間に構成され、前記少なくとも１つのラッチ部材は、前記容器アセンブリのためのハンドルを構成することを特徴とする容器。
【請求項１２】
容器および前記容器を覆うように構成されたヒンジ付き蓋部材を備える容器アセンブリにおいて、前記ヒンジ領域は、前記蓋が、閉じた構成ならびに捕捉部材および摩擦要素が係脱される開いた構成、ならびに前記開いた構成と前記摩擦要素が前記捕捉部材を係合する前記閉じた構成との間に構成された中間位置を有するように、少なくとも１つの前記捕捉部材ならびに前記摩擦要素をさらに備えることを特徴とする容器アセンブリ。
【発明の詳細な説明】
【技術分野】
【０００１】
本開示の主題は、積み重ね可能で連結可能な容器アセンブリを対象とする。
【背景技術】
【０００２】
本開示の主題の背景技術に関連すると考えられる参考文献は以下に収載されている。
・米国特許第８５０５７２９号明細書
・米国特許第６３７１３２０号明細書
・米国特許第６８７４６３４号明細書
【０００３】
本明細書における上記の参考文献の承認とは、これらの参考文献が本開示の主題の特許性に何らかの形で関連していることを意味すると推測されるものではない。
【０００４】
積み重ねるように構成された容器アセンブリは当技術分野に公知である。さらに、積み重ね可能で連結可能な容器アセンブリが公知である。
【０００５】
例えば米国特許第８５０５７２９号明細書は、少なくとも１つの他の容器に連結されるように構成され配置された容器を開示している。容器は、容器部、カバー、および第１の位置と第２の位置との間で可動のラッチ部材を有する。容器部上の保持部材はラッチ部材と係合可能である。第１の位置において、ラッチ部材は、ラッチ部材が第１の位置から離れる動きを阻止するために保持部材を係合する。第２の位置において、ラッチ部材は、容器を連結させるために他の容器の容器部と係合可能である。
【０００６】
米国特許第６３７１３２０号明細書は、作業者が作業場で様々な任務を実行するために必要な工具および他の物品を保存するように適合された、携帯式ワークショップ容器アセンブリを開示している。このアセンブリは、積み重ねた関係の３つの主な構成要素を含む。またトグル部材により搬器の上端部に枢動され、工具箱の底部に装着された第１の捕捉要素およびトレイの縁上に装着された第２の捕捉要素と協働する、ラッチを有するラッチ機構も提供される。次いで工具箱が縁上に静止すると、第１の捕捉要素および第２の捕捉要素は互いに隣接する。操作の１つのやり方では、ラッチは、作業場に車輪で動かすことができる単一アセンブリを形成するために、３つのすべての構成要素を連結するように第１の要素および第２のラッチ要素を同時に係合する。
【０００７】
米国特許第６３７１３２０号明細書は、特に殺菌装置から手術現場まで運ばれる手術器具を含有し保護するように適合された、トレイの垂直の積み重ねからなるトレイシステムを開示している。トレイは様々な高さを有してもよく、あらゆる順番の積み重ねで配置されてもよい。各トレイは複数のラッチを含み、各ラッチはトレイに揺動自在に装着され、ラッチがそのラッチ位置に揺動すると、トレイの縁または上部に選択された距離を離間した突起によって終了されるアームを有する。また各トレイは、そのトレイ上のラッチの下に配置された、対応する複数のラッチ面も含む。各トレイの着座面とラッチ面との間の距離は、そのトレイの距離に実質的に対応する。これにより、各トレイのラッチアームを積み重ねて上に載ったトレイのラッチ面に掛け金を掛け、または閉じた小型の可搬パッケージを形成するようにカバーに掛け金を掛けることができる。またトレイを一緒に固定するための異なるラッチの実施形態も開示されている。
【発明の概要】
【０００８】
本開示の主題は、少なくとも１つの他の容器に連結されるように構成され配置された容器を対象とする。
【０００９】
本明細書で使用される場合、用語「マルチ容器アセンブリ（ｍｕｌｔｉ−ｃｏｎｔａｉｎｅｒ  ａｓｓｅｍｂｌｙ）」は、固定した設備または移動する設備のいずれとしても、互いに統合するように構成されたあらゆる組の容器を表す。前記アセンブリを、工具カート、作業場、旅行鞄などとして使用することができる。
【００１０】
本明細書で使用される場合、用語「容器（ｃｏｎｔａｉｎｅｒ）」は、ツールキャディー、整理ケース、旅行鞄、化粧品袋、貯蔵容器、移動容器などとして使用することができる、あらゆる型の容器または作業設備を表し、用語「容器」は、作業台などのツールキャディーと併せて使用する設備も含む。
【００１１】
本開示は、概してマルチ容器アセンブリの分野にある。より詳細には、本開示は、容器と容器アセンブリを互いに取り外し可能に取り付けるための係止システムを対象とする。
【００１２】
本開示の主題の一態様によれば、少なくとも１つの容器を備える容器アセンブリが提供される。容器は、内部空間を一緒に画定する少なくとも１つの側壁および底壁、ならびに上面を有する開口を閉じるためのカバーを備える。カバーは、少なくとも第１の位置と第２の位置との間で可動の少なくとも１つのラッチ部材を備え、容器は、少なくとも１つの側壁上にラッチ部材と平行に位置付けられた保持部材を備える。ラッチ部材は、容器を少なくとも１つの他の容器に連結させるために、別の容器の保持部材と係合するように構成される。ラッチ部材を時計回りおよび反時計回りに枢動させるように構成することができる。
【００１３】
少なくとも１つのラッチ部材を、他方の容器アセンブリの容器に係合するために上方に枢動させることができ、少なくとも１つのラッチ部材を、そのラッチ部材がカバーの表面と同一面にある、例えばその側壁上にある場合に、下方に保持位置に枢動させることができる。一実施形態によれば、少なくとも１つのラッチ部材は、容器アセンブリのためのハンドルを構成することができる。ラッチ／ハンドルは、カバーに枢動可能に取り付けられたＵ字型のハンドルであることが可能である。
【００１４】
本開示の主題の別の態様によれば、品物を保管し移送させるための容器が提供される。容器は、内部空間を一緒に画定する少なくとも１つの側壁および底壁を備える。容器は、少なくとも第１の位置と第２の位置との間で可動の少なくとも１つのラッチ部材、およびラッチ部材に平行に位置付けられた保持部材をさらに備える。ラッチ部材は、容器を少なくとも１つの他の容器に連結させるために、別の容器の保持部材と係合するように構成される。少なくとも１つのラッチ部材を、ラッチ部材が他方の容器アセンブリの保持部材を係合する位置と静止位置との間に位置付けることができる。一実施形態によれば、少なくとも１つのラッチ部材は、容器アセンブリのためのハンドルを構成することができる。
【００１５】
本開示の主題によれば、保持部材は、その上に固定されたときにラッチを保持しかつ／または獲得し、ラッチの移動を防ぐように構成され形状された外方に突出するフック状の部材、例えばサドルである。
【００１６】
本開示の主題の別の態様によれば、容器および容器を覆うように構成されたヒンジ付き蓋部材を備える容器アセンブリが提供される。ヒンジ領域は、蓋が、閉じた構成および捕捉部材が係脱される開いた構成、ならびに開いた構成と捕捉部材が係合された閉じた構成との間に構成された中間位置を有するように、少なくとも１つの捕捉部材をさらに備える。
【００１７】
要素を別の要素の「上」にある、別の要素に「係合される」、別の要素に「連結される」、または別の要素に「結合される」と言う際、要素は直接他方の要素の上にある、他方の要素に係合される、他方の要素に連結される、もしくは他方の要素に結合されてもよく、または介在要素が存在してもよい。
【００１８】
本明細書で使用される場合、用語「および／または」は、関連したリストの項目の１つまたは複数のあらゆる、またすべての組合せを含む。
【００１９】
空間的な相対的用語である「内側に（ｉｎｎｅｒ）」、「外側に（ｏｕｔｅｒ）」、「下に（ｂｅｎｅａｔｈ）」、「下方に（ｂｅｌｏｗ）」、「下側に（ｌｏｗｅｒ）」、「上に（ａｂｏｖｅ）」、「上方に（ｕｐｐｅｒ）」、「上部に（ｔｏｐ）」、「底部に（ｂｏｔｔｏｍ）」などは、図面に示されたように、１つの要素または特徴の別の要素または特徴に対する関係を記述するための記述を容易にするために、本明細書に使用されることがある。空間的な相対的用語は、図面に表した配向に加えて、使用時または作動時にデバイスの異なる配向を包含することを意図することがある。例えば図面内の容器が裏返される場合は、他の要素または特徴の「下方に」または「下に」と説明された要素は、他の要素または特徴の「上に」配向されるはずである。したがって例として挙げた用語「下方に」は上下両方の配向を包含することができる。容器をそれ以外（例えば９０度の回転、または他の配向）に配向させることができ、本明細書に使用される空間的な相対的記述はそれに応じて解釈される。
【００２０】
本開示の主題は、係止機構により互いに取り外し可能に取り付け可能な、少なくとも１つの第１の容器および少なくとも１つの第２の容器を備える容器アセンブリシステムをさらに対象とし、係止機構は少なくとも１つの第１の容器と少なくとも１つの第２の容器との間で相互作用し、少なくとも１つの第１の容器は、その上部に枢動可能なラッチ部材を備えて構成され、少なくとも１つの第２の容器は、その対応する底部に保持部を備えて構成され、前記ラッチ部材は、前記ラッチ部材が前記保持部を係合する係止位置と、前記ラッチ部材が前記保持部から係脱に枢動可能に移動される非係止位置との間で枢動可能である。
【００２１】
別の態様によれば、本開示の主題は、内部空間を一緒に画定する少なくとも１つの側壁および底壁、ならびに上面を有する開口を閉じるためのカバーを備える、品物を保管し移送するための容器を備える容器アセンブリを対象とし、カバーは、少なくとも第１の位置と第２の位置との間で可動の少なくとも１つのラッチ部材を備え、容器は、容器を少なくとも１つの他の容器に連結させるために、別の容器の保持部材と係合するように構成されるように、少なくとも１つの側壁上にラッチ部材と平行に位置付けられた保持部材を備える。
【００２２】
さらに一態様によれば、少なくとも１つの第１の位置と第２の位置との間で可動の少なくとも１つのラッチ部材、およびラッチ部材に平行に位置付けられた保持部材をその上に備える少なくとも１つの側壁を備える容器を対象とし、ラッチ部材は、静止位置と、容器を少なくとも１つの他の容器に連結させるために、別の容器の保持部材と係合するための位置との間に構成され、少なくとも１つのラッチ部材は容器アセンブリのためのハンドルを構成する。
【００２３】
さらに別の態様によれば、容器および容器を覆うように構成されたヒンジ付き蓋部材を備える容器アセンブリが開示され、ヒンジ領域は、蓋が、閉じた構成および捕捉部材と摩擦要素が係脱される開いた構成、ならびに開いた構成と摩擦要素が捕捉部材を係合する閉じた構成との間に構成された中間位置を有するように、少なくとも１つの捕捉部材および摩擦部材をさらに備える。
【００２４】
あらゆる１つまたは複数の以下の特徴、設計、および構成を個別にまたはそれらの様々な組み合わせで、本開示により容器アセンブリおよび／またはシステム内に実装することができる。
・少なくとも１つのラッチ部材は、容器アセンブリのためのハンドルを構成することができる。
・カバーは容器部の後側に枢動可能に連結される。
・容器部またはカバー部上に配置された運搬用ハンドルをさらに備える。
・ラッチ部材は少なくとも１つのヒンジを通して枢動可能に連結される。
・容器の内部空間は複数の区画に分割される。
・ラッチ部材および係合部材は、それらの部材が互いに関して垂直に位置合わせされて位置付けられるように、離間されて構成され配置される。
・ラッチは枢動可能な係止部材である。
・枢動可能な係止部材は、それぞれの第１の容器の運搬用ハンドルであることが可能である。
・少なくとも１つの第１の容器および少なくとも１つの第２の容器のそれぞれは、係止機構をそれぞれの容器の少なくとも反対側に配置できる特定の例に従って、少なくとも１対の係止機構を備えて構成されることが可能である。
・枢動可能な係止部材はその係止位置で第１の容器の側壁付近に延在し、係止部材はその非係止位置でその側壁から離間し、またはその側壁付近に延在することができる。
・枢動可能な係止部材は、農業用ハンドル部を備えて構成することができる。
・係止部材を、少なくともその係止位置でスナップ捕捉するように構成することができる。
・アセンブリの容器は折り畳み可能な作業台であることが可能である。
・容器アセンブリの第１の最底部容器は、移動配置を備えて構成することができる。移動配置は、最底部容器に固定することができ、またはそれに取り外し可能に取り付けることができる。
・一例によれば、移動配置は最底部容器の後底部に配置された少なくとも１対の車輪であることが可能である。
・最底部容器を、１つまたは複数のキャスタホイールを備えて構成することができる。
・容器アセンブリを、あらゆる１つまたは複数の容器と関連付けられた１つまたは複数のハンドルを備えて構成することができる。
・容器アセンブリの容器の少なくとも一部を、捕捉部内で枢動可能な係止部材と適合するモジュラー容器として構成することができ、第１の容器または第２の容器として機能を果たすのに適した、すなわちそれぞれの他の容器の上または下との嵌合に適した各モジュラー容器を提供する。
【図面の簡単な説明】
【００２５】
次に本明細書に開示された本主題をより良く理解するため、また本主題が実際にどのように実行され得るかを実証するために、非制限例のみとして、添付図面を参照して実施形態について説明する。
【００２６】
【図１Ａ】図１Ａは、本開示の主題の一例による、容器アセンブリの斜視平面図を示す。
【図１Ｂ】図１Ｂは、本開示の主題の一例による、容器アセンブリの正面図を示す。
【図２Ａ】図２Ａは、本開示の主題の一例による、一方を他方の上に積み重ねた図１Ａの２つの容器アセンブリの斜視平面図を示す。
【図２Ｂ】図２Ｂは、本開示の主題の一例による、一方を他方の上に積み重ねた図１Ａの２つの容器アセンブリの斜視側面図を示す。
【図３】図３は、本開示の主題の一例による、積み重ねた３つの異なる容器アセンブリの容器システムの斜視背面図を示す。
【図４】図４は、本開示の主題の別の例による、容器アセンブリの側面図を示す。
【図５Ａ】図５Ａは、一方を他方の上に積み重ねた、図４の２つの同じような容器アセンブリの斜視図を示す。
【図５Ｂ】図５Ｂは、一方を他方の上に積み重ねた、図４の２つの同じような容器アセンブリの斜視図を示す。
【図６Ａ】図６Ａは、本開示の主題のさらなる一例による、容器が静止位置においてハンドルを備えて示された容器アセンブリの斜視図を示す。
【図６Ｂ】図６Ｂは、本開示の主題のさらなる一例による、容器が作動位置においてハンドルを備えて示された容器アセンブリの斜視図を示す。
【図６Ｃ】図６Ｃは、本開示の主題のさらなる一例による、図６Ｂと同じ容器の正面図を示す。
【図７Ａ】図７Ａは、様々な組み合わせで積み重ねた構成における、本開示の主題の例による、容器アセンブリの斜視図を示す。
【図７Ｂ】図７Ｂは、様々な組み合わせで積み重ねた構成における、本開示の主題の例による、容器アセンブリの斜視図を示す。
【図７Ｃ】図７Ｃは、様々な組み合わせで積み重ねた構成における、本開示の主題の例による、容器アセンブリの斜視図を示す。
【図８Ａ】図８Ａは、カバーがそれぞれ容器内部の様々な位置にある、図４の容器アセンブリを示す。
【図８Ｂ】図８Ｂは、カバーがそれぞれ容器内部の様々な位置にある、図４の容器アセンブリを示す。
【図８Ｃ】図８Ｃは、カバーがそれぞれ容器内部の様々な位置にある、図４の容器アセンブリを示す。
【図９Ａ】図９Ａは、本開示の主題の一例による、それぞれ容器の異なる位置にあるカバーを示す、図８ＡにＣで標された部分を示す。
【図９Ｂ】図９Ｂは、本開示の主題の一例による、それぞれ容器の異なる位置にあるカバーを示す、図８ＡにＣで標された部分を示す。
【図９Ｃ】図９Ｃは、本開示の主題の一例による、それぞれ容器の異なる位置にあるカバーを示す、図８ＡにＣで標された部分を示す。
【図９Ｄ】図９Ｄは、本開示の主題の一例による、それぞれ容器の異なる位置にあるカバーを示す、図８ＡにＣで標された部分を示す。
【図１０Ａ】図１０Ａは、本開示の主題による、作業台を備える容器アセンブリを示す。
【図１０Ｂ】図１０Ｂは、本開示の主題による、作業台を備える容器アセンブリを示す。
【図１０Ｃ】図１０Ｃは、本開示の主題による、その様々な作業位置で示された作業台を示す。
【発明を実施するための形態】
【００２７】
本開示の主題は、同じ容器アセンブリを積み重ね、また連結するように適合された容器アセンブリを対象とする。まず図１Ａ〜図２Ｂの例を参照すると、概ね１００で示された容器アセンブリが提供されている。容器アセンブリ１００は、品物の保管および移送のために１４０と表された容器を備える。容器は、一緒に内部空間（図示せず）を画定する、２つの側壁１０２Ａおよび１０２Ｂ、前壁１０４、後壁１０６、ならびに底壁１０８を備える。容器アセンブリ１００は、その開口で閉じた容器１４０に対するカバー１２０をさらに備える。示された例では、カバーは容器の後壁にヒンジで取り付けられている。示された例ではヒンジ要素が提供されているが、本開示の主題によるカバーを、例えば一体型のヒンジシステム（例えばリビングヒンジ）を通して連結することができ、またはカバーは、取り外し可能に取り付け可能な要素などであってもよいことが理解されよう。容器アセンブリは、その前壁１０４における運搬用ハンドル１２４、ならびにカバーを容器本体１４０に係止するように構成された２つの係止ラッチアセンブリ１２６Ａおよび１２６Ｂも備える。
【００２８】
カバー１２０は、それぞれがその側部に延在し、少なくとも第１の位置Ｉと第２の位置ＩＩとの間で可動の、２つのラッチ部材１５０をさらに備える。容器は、各側壁１０２Ａおよび１０２Ｂの下部１４２に２つのそれぞれの保持部材１６０Ａ、１６０Ｂ、１６０Ｃ、１６０Ｄを備える。保持部材は、各側壁上に一体形成され、各側壁から外方に突出するフック状要素である。示された例では、各側壁上に２つの保持部材が提供されているが、本明細書で以下に論じるようなラッチ部材を係合するために十分な幅であることが可能な１つの部材を提供することができることが理解されよう。単一の保持部材の一例が図４を参照して提供されており、それを参照して検討する。各ラッチ部材は、（例えば図１Ａに最もよく示されているように）それぞれの２つの保持部材に平行に位置付けられている。この例によるラッチ部材１５０は、少なくとも図１Ａに見られる第１の静止位置と、例えば図２Ａおよび図２Ｂの上部容器上に見られる完全に延在した第２の位置との間で枢動可能である。この第２の位置または実際にあらゆる中間位置において、ラッチ部材１５０は容器アセンブリのための側部ハンドルを構成することができる。ラッチ部材は、その自由端部でカバー１２０に枢動可能に連結された概ねＵ字型部材である。したがって運搬用ハンドル１２４は、その後壁が例えば地面に実質的に平行であることが可能であるように、容器アセンブリを垂直に運ぶことを促進する一方で、ラッチ部材１５０は、２つの側部ハンドルとしてラッチ部材１５０を使用してアセンブリを水平に運ぶことを促進する。
【００２９】
次に一方を他方の上に積み重ねた本開示の主題による、２つの同じ容器アセンブリ１００を示す、図２Ａ〜図３に注意を向ける。図２Ａは、この例に完全に示された２つのラッチ部材１５０が、ラッチ部材１５０が容器アセンブリ１００の側部に実質的に平行な第１の静止位置Ｉにあるように、係脱した構成のラッチ部材１５０を備えて積み重ねた２つの容器アセンブリを示す。図２Ｂは、ラッチ部材が第２の位置ＩＩにあるアセンブリの他方の側部を示す、積み重ねた同じ２つの容器アセンブリを示す。上部容器１００のラッチ部材は、カバー１２０の上面１２２の上に自由に延在して枢動される／上方に挙上される。この構成ＩＩでは、ラッチ部材は、容器に対して側部ハンドルまたは挙上ハンドルを構成することができる。底部容器アセンブリ１００のラッチ部材１５０も第２の位置にあるが、ラッチ部材１５０は、２つの容器アセンブリが係止され互いに連結されるように、保持部材１６０の上に係止される。したがって上部容器アセンブリを挙上することにより、底部容器は２つの容器アセンブリの１つの連動したシステムとしてそれとともに動かされる。両側のラッチ部材１５０は、２つの容器の意図しない係脱または相対運動を防ぐために、それぞれの保持部材１６０と係合するべきであることが理解されよう。
【００３０】
図３は、その上に積み重ねたそれぞれの保持部材１００の側壁の下部１４２に提供された、それぞれの保持部材１６０の上に係止されたカバーの上に提供されたラッチ部材１５０を使用して、すべてが連動された３つの容器アセンブリＣ、Ｂ、および１００のシステム２００を示す。これは一致したシステムの輸送を促進する。この例では、システムは、２つの側車Ｗ、および底部容器の後壁から上方に延在し、例えばシステムを傾け回転させることができるために、上部容器アセンブリの上に突出する、中央上方に延在する運搬用ハンドル１７０がさらに提供される。
【００３１】
図４〜図５Ｂを参照して示された例は容器アセンブリ３００を提供し、容器アセンブリ３００はこの例では整理ケースシステムである。図１Ａ〜図２Ｂを参照して説明されたアセンブリ１００の機能と同様の機能を有する要素は、２００に上げた同様の参照番号を使用して印されている。容器アセンブリ１００と容器アセンブリ３００との間の１つの違いは、ラッチ部材３５０および保持部材３６０の構造にある。この例では、容器３４０の側壁の底部に提供された単一の保持部材３６０が提供されている。ラッチ部材３５０は、容器３４０を覆うカバー３２０の側部フラップ上にそれに平行に提供される。図５Ｂに見られるように、２つの同じ容器アセンブリ３００が２つのアセンブリを係止するために一方の上に他方を積み重ねたとき、底部における容器アセンブリのラッチ部材３５０は、第２の位置に枢動され、上部に提供された容器の保持部材３６０に係合するようにスナップ留めされる。前の例におけるように、この係止係合により２つのアセンブリを一緒に固定することができ、２つのアセンブリの得られるシステムの確実な保管および移送を促す。
【００３２】
あらゆる数の容器アセンブリ１００、３００は、本開示の主題により一方の上に他方を積み重ね、係止することができることが理解されよう。
【００３３】
図６Ａ〜図６Ｃは、本開示の主題による容器４００の別の例である。容器４００と前の例との違いはカバーがないことである。この例では、容器は、各側壁の上部に提供されたラッチ部材４５０、および各側壁の底部で各ラッチ部材に平行に、各ラッチ部材と同じ広さに広がって提供された保持部材４６０（この例では図１Ａの例も参照にして検討されたように、各ラッチに対する２つの保持部材）を有するクレートである。図７Ａ〜図７Ｂに見られるように、クレート４００は本発明（例えば図７Ｂ）により同じクレートと積み重ね、それと相互係止され、または異なる容器システムの１つのシステムの一部として提供することができ、また図７Ａおよび図７Ｂに示されたように各ラッチ部材および保持部材とともに提供される。
【００３４】
図８Ａ〜図９Ｄは、上に論じた容器アセンブリ３００を示す。容器アセンブリは、容器３４０およびそれにヒンジで接合された覆蓋３２０を備える。覆蓋３２０は、例えば図４に見られるような閉位置と、覆蓋３２０が容器３４０に対して約１８０度開いている図８Ｃに見られる全開位置との間を延在するように構成される。図８Ａおよび図８Ｂに見られるように、覆蓋は、閉位置と全開位置との間の中間位置に延在するように構成され、示された例では容器（図８Ａ）に垂直にまた約１４０度（図８Ｂ）に延在する。これらの中間位置は、ヒンジＨおよびそれぞれの摩擦要素３７５、この例では覆蓋３２０のそれぞれの縁部の突起の場所で、容器３４０の上端に提供された捕捉部材３８０によって構成された摩擦システムによって促進される。図９Ａ〜図９Ｃに示された拡大部Ｃ（図８Ａ）に見られるように、全閉位置（図９Ａ）および全開位置（図９Ｄ）において、摩擦システムは静止し、すなわち摩擦要素３７５および捕捉部材３８０は係合されず、中間位置では、摩擦要素３７５は様々な段階の摩擦力で捕捉部材を係合する。捕捉部材３８０は外方突起であり、切欠き３９０を備えた肩部と同じ構造を有するので、係合構成では摩擦要素３７５が切欠き部３９０の上を滑らかに動き、力を掛ける。
【００３５】
容器の何れか１つは、その設計、大きさ、目的、および構成に関する限り、異なる型からなることができるが、本明細書により詳細に論じるように、それぞれは係止機構により互いに取り外し可能に取り付け可能であるように構成される。例えば容器は、保管装置、整理ケース、折り畳み式椅子、折り畳み式作業台、実用性物品、例えば発電機などであってもよいことが理解されよう。
【００３６】
図１０Ａは、アセンブリ内の容器の１つが作業台４００であることが異なる、図３のアセンブリ２００と同様のアセンブリ３００を示す。図１０Ｂおよび図１０Ｃに最もよく示されているように、この作業台は、側壁を提供する幅を有する作業設備４２０、および作業台４００の側壁によって画定された空間内で、（図１０Ｂに示されているように）それらの折り畳まれた形態に維持できる４つの拡張可能な脚４８０を備えて構成される。２つの対向する側壁（４０２Ａのみが明確に図に見られる）は、それぞれが静止部材４６０Ａおよび４６０Ｂならびにラッチ部材４５０を備える。作業台をその他のアセンブリＣおよびＢに係止するために、底部における作業台４００のラッチ部材４５０は第２の位置に枢動され、上部に提供された容器の保持部材３６０を係合するためにスナップ留めされる。前の例におけるように、この係止係合により、２つのアセンブリを一緒に固定することができ、２つのアセンブリの得られるシステムの安全な保管および移送を促進する。
【００３７】
その係止係合を提供されたアセンブリに積み重ねることができるあらゆる他の容器は、システム内で少なくとも１つの他の容器／アセンブリの係止係合と位置合わせされることが理解されよう。本明細書で使用される場合、用語「容器」はツールキャディー、整理ケース、旅行鞄、化粧品袋、貯蔵容器、移動容器などとして使用することができる、あらゆる型の容器または作業設備を表し、用語「容器」は、作業台などのツールキャディーと併せて使用される設備も含む。
【図１Ａ】
2018512345.tif 000003
【図１Ｂ】
2018512345.tif 000004
【図２Ａ】
2018512345.tif 000005
【図２Ｂ】
2018512345.tif 000006
【図３】
2018512345.tif 000007
【図４】
2018512345.tif 000008
【図５Ａ】
2018512345.tif 000009
【図５Ｂ】
2018512345.tif 000010
【図６Ａ】
2018512345.tif 000011
【図６Ｂ】
2018512345.tif 000012
【図６Ｃ】
2018512345.tif 000013
【図７Ａ】
2018512345.tif 000014
【図７Ｂ】
2018512345.tif 000015
【図７Ｃ】
2018512345.tif 000016
【図８Ａ】
2018512345.tif 000017
【図８Ｂ】
2018512345.tif 000018
【図８Ｃ】
2018512345.tif 000019
【図９Ａ】
2018512345.tif 000020
【図９Ｂ】
2018512345.tif 000021
【図９Ｃ】
2018512345.tif 000022
【図９Ｄ】
2018512345.tif 000023
【図１０Ａ】
2018512345.tif 000024
【図１０Ｂ】
2018512345.tif 000025
【図１０Ｃ】
2018512345.tif 000026
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
内部空間を一緒に画定する少なくとも１つの側壁および底壁、ならびに上面を有する開口を閉じるためのカバーを備える、品物を保管し移送するための容器を備える容器アセンブリにおいて、前記カバーは、少なくとも第１の位置と第２の位置との間で可動の少なくとも１つのラッチ部材を備え、前記容器は、前記ラッチ部材が、前記容器を前記少なくとも１つの他の容器に連結させるために、別の容器の保持部材と係合するように構成されるように、前記少なくとも１つの側壁上に前記ラッチ部材に平行に位置付けられた保持部材を備えることを特徴とする、容器アセンブリ。
【請求項２】
係止機構により互いに取り外し可能に取り付け可能な、少なくとも１つの第１の容器および少なくとも１つの第２の容器を備える請求項１に記載の容器アセンブリにおいて、前記係止機構は、前記少なくとも１つの第１の容器と前記少なくとも１つの第２の容器との間で相互作用し、前記少なくとも１つの第１の容器は、その上部に枢動可能なラッチ部材を備えて構成され、前記少なくとも１つの第２の容器は、その対応する底部に保持部を備えて構成され、前記ラッチ部材は、前記ラッチ部材が前記保持部を係合する係止位置と、前記ラッチ部材が前記保持部から係脱に枢動可能に移動される非係止位置との間で枢動可能であることを特徴とする、容器アセンブリ。
【請求項３】
請求項１または２に記載の容器アセンブリにおいて、前記少なくとも１つのラッチ部材は、前記容器アセンブリのためのハンドルを構成することができることを特徴とする容器アセンブリ。
【請求項４】
請求項１乃至３の何れか１項に記載の容器アセンブリにおいて、前記カバーは前記容器部の後側に枢動可能に連結されることを特徴とする容器。
【請求項５】
請求項１乃至４の何れか１項に記載の容器アセンブリにおいて、前記容器部または前記カバー部上に配置された運搬用ハンドルをさらに備えることを特徴とする容器。
【請求項６】
請求項１乃至５の何れか１項に記載の容器アセンブリにおいて、前記ラッチ部材は、少なくとも１つのヒンジを通して枢動可能に連結されることを特徴とする容器。
【請求項７】
請求項１乃至６の何れか１項に記載の容器アセンブリにおいて、前記容器の前記内部空間は複数の区画に分割されることを特徴とする容器。
【請求項８】
請求項１乃至７の何れか１項に記載の容器アセンブリにおいて、前記ラッチ部材および前記係合部材は、前記ラッチ部材および前記係合部材を互いに対して垂直に位置合わせするように位置付けられるように、離間されて構成され配置されることを特徴とする容器。
【請求項９】
請求項１乃至８の何れか１項に記載の容器アセンブリにおいて、前記保持部材は、その上に係止されたときに前記ラッチ部材を保持しかつ／または獲得し、前記ラッチ部材の移動を防ぐように構成され形状された、外方に突出するフック状の部材であることを特徴とする容器。
【請求項１０】
請求項１〜９の何れか１項に記載の容器アセンブリにおいて、前記ラッチ部材は、時計回りおよび反時計回りに枢動するように構成されることを特徴とする容器。
【請求項１１】
少なくとも第１の位置と第２の位置との間で可動な少なくとも１つのラッチ部材、および前記ラッチ部材に平行に位置付けられた保持部材をその上に備える、少なくとも１つの側壁を備える容器において、前記ラッチ部材は、前記容器を前記少なくとも１つの他の容器に連結させるために、静止位置と別の容器の保持部材と係合するための位置との間に構成され、前記少なくとも１つのラッチ部材は、前記容器アセンブリのためのハンドルを構成することを特徴とする容器。
【請求項１２】
容器および前記容器を覆うように構成されたヒンジ付き蓋部材を備える容器アセンブリにおいて、前記ヒンジ領域は、前記蓋が、閉じた構成ならびに捕捉部材および摩擦要素が係脱される開いた構成、ならびに前記開いた構成と前記摩擦要素が前記捕捉部材を係合する前記閉じた構成との間に構成された中間位置を有するように、少なくとも１つの前記捕捉部材ならびに前記摩擦要素をさらに備えることを特徴とする容器アセンブリ。
【国際調査報告】
2018512345.tif 000027
2018512345.tif 000028
2018512345.tif 000029
2018512345.tif 000030